(57)【要約】【課題】供給される空調エア中の浮遊菌や、室内のエア中の浮遊菌を殺菌可能な空調設備を提供するとともに、当該空調設備を利用した病院内での院内感染抑制方法を提供する【解決手段】吹出口ユニット１０はケーシング５０、殺菌灯６０などから構成されており、ケーシング５０の下部には反射板５６が取り付けられたコーン５２が配置されている。ケーシング５０内部では空調エアによる旋回流が生成されているので、ケーシング５０の内部で殺菌光による空調エアの殺菌時間を長く維持でき、空調エアの浮遊菌の殺菌が効率よく行える。また、殺菌灯６０からの殺菌光が、室１の上部に向けて照射されるので、室１内の天井７近傍のエア中の浮遊菌に対しても殺菌を行うことができる。【選択図】　　図２
2004116924.tif 000002
【特許請求の範囲】
【請求項１】
空調機から供給される空調エアを室内に吹き出す吹出口ユニットを備えた空調設備において、
該吹出口ユニットには、
吹出口ユニットの内部および前記室内に向けて殺菌光を照射する殺菌灯を設けたことを特徴とする空調設備。
【請求項２】
前記吹出口ユニットの殺菌灯の周囲には、
前記殺菌光の照射方向を調整するための反射板が設けられていることを特徴とする請求項１に記載された空調設備。
【請求項３】
室内のエアを吸気させる吸込口ユニットを備えた空調設備において、
該吸込口ユニットには、
吸込口ユニットの内部および前記室内に向けて殺菌光を照射する殺菌灯を設けたことを特徴とする空調設備。
【請求項４】
前記吸込口ユニットの殺菌灯の周囲には、
前記殺菌光の照射方向を調整するための反射板が設けられていることを特徴とする請求項３に記載された空調設備。
【請求項５】
請求項１乃至請求項４のいずれかに記載の空調設備を病院に装備し、病院内での浮遊菌による院内感染を抑制するようにしたことを特徴とする院内感染抑制方法。
【発明の詳細な説明】
【０００１】
【発明の属する技術分野】
本発明は空調設備および院内感染抑制方法に係り、特に医療施設などに用いられ、エア中の浮遊細菌を殺菌・除去する空調設備および院内感染抑制方法に関する。
【０００２】
【従来の技術】
病院などの医療施設では、種々の細菌が院内の空気中に浮遊しているため、この浮遊菌による院内感染が従来から問題となっており、浮遊菌の殺菌除去が行える空調設備が求められている。
【０００３】
従来の空調設備は、空調機のフィルタに室内のエアを循環通過させ、フィルタで浮遊菌を除去して室内のエア中の浮遊菌を低減させていた。
【０００４】
しかし、この様な空調設備では浮遊菌の除去率が低いために院内感染を確実には防止できなかった。これに対応するために複数のフィルタを空調機に追加したり、フィルタを高性能フィルタに交換した空調設備では設備費が嵩むほか、フィルタによる圧力損失が大きくなるため高出力な送風機を用いる必要があった。
【０００５】
さらに、夏季などの高温多湿の時期には空調機内部の温度調整コイルに結露が発生するため、この結露に菌が付着してカビや細菌が発生し、ここで発生した細菌が空調エアとともに室内に侵入してしまう問題があった。一般的な空調機は温度調整コイルのエア流の上流側にフィルタが設けられているため、このような温度調整コイルに発生した細菌を除去することは困難であった。
【０００６】
これを解決するために、空調機から空調エアを搬送するためのエア供給ダクトに殺菌灯を取り付け、エア供給ダクト内の空調エアに殺菌光を照射することで空調エア中の浮遊菌の殺菌を行う技術が知られている（例えば特許文献１参照）。
【０００７】
【特許文献１】
特開平１１−１４１３０
【０００８】
【発明が解決しようとする課題】
しかし、ダクト内における空調エアは流れが速く、殺菌光により空調エア中の浮遊菌を十分に殺菌することが困難で、室内に浮遊菌が侵入してしまう場合があった。また、エア供給ダクトは一般に天井に設置されているために、殺菌灯の交換などのメンテナンスが煩雑となる問題があった。
【０００９】
本発明はこのような事情に鑑みてなされたもので、供給される空調エア中の浮遊菌や、室内のエア中の浮遊菌を殺菌可能な空調設備を提供するとともに、当該空調設備を利用した病院内での院内感染抑制方法を提供することを目的とする。
【００１０】
【課題を解決するための手段】
上記目的を達成するために請求項１に記載の発明は、空調機から供給される空調エアを室内に吹き出す吹出口ユニットを備えた空調設備において、該吹出口ユニットには、吹出口ユニットの内部および前記室内に向けて殺菌光を照射する殺菌灯を設けたことを特徴としている。
【００１１】
請求項１に記載の発明によれば、吹出口ユニットの内部に殺菌光が照射されるので、室に供給される空調エア中の浮遊菌を殺菌できる。また、室内にも殺菌光が照射されるので、室内のエア中の浮遊菌に対しても殺菌できる。
【００１２】
請求項２に記載の発明によれば、この吹出口ユニットの殺菌灯の周囲には、殺菌光の照射方向を調整するための反射板が設けられているので、室内の人の目に直接殺菌光が照射されてしまうことを防止できる。
【００１３】
請求項３に記載の発明は、室内のエアを吸気させる吸込口ユニットを備えた空調設備において、該吸込口ユニットには、吸込口ユニットの内部および前記室内に向けて殺菌光を照射する殺菌灯を設けたことを特徴としている。
【００１４】
請求項３に記載の発明によれば、吸込口ユニットの内部に殺菌光が照射されるので、室から吸気されるエア中の浮遊菌を殺菌でき、室内からの浮遊菌の排出を防止できる。また、室内にも殺菌光が照射されるので、室内のエア中の浮遊菌に対しても殺菌できる。
【００１５】
請求項４に記載の発明によれば、この吸込口ユニットの殺菌灯の周囲には、殺菌光の照射方向を調整するための反射板が設けられているので、室内の人の目に直接殺菌光が照射されてしまうことを防止できる。
【００１６】
請求項５に記載の発明は、請求項１乃至は請求項４のいずれかに記載の空調設備を病院に装備し、病院内での浮遊菌による院内感染を抑制するようにしたことを特徴とする。
【００１７】
請求項５に記載の発明によれば、病院内での浮遊菌による院内感染を抑制できる。
【００１８】
【発明の実施の形態】
以下、添付図面に従って、本発明に係る空調設備の好ましい実施の形態について詳説する。図１は、本発明に係る空調設備５，６を室１に適用した例を示す構成図である。
【００１９】
外気系の空調設備５は吹出口ユニット１０、空調機１４などから構成されている。吹出口ユニット１０は室１の天井７に取り付けられており、この吹出口ユニット１０にはエア供給ダクト１６を介してフィルタボックス１２、空調機１４が接続されている。
【００２０】
外気取込口２０から取り込まれた外気エアは、フィルタボックス１２内のフィルタ１８を通過して外気エア中の浮遊菌が除去される。このフィルタ１８としては、例えば抗菌作用を備えた抗菌フィルタが用いられる。
【００２１】
空調機１４は内部に温度調整コイル２２，２２、送風機２６などを備えている。温度調整コイル２２は、フィルタボックス１２によって濾過されたエアを所定の温度に調整する。送風機２６は、温度調整コイル２２によって空調されたエアをエア供給ダクト１６に送気する。
【００２２】
このような構成によって、送風機２６を駆動するとフィルタボックス１２によって外気エアが濾過され、温度調整コイル２２にて所定の温度に維持された後、空調エアがエア供給ダクト１６に送気され、吹出口ユニット１０を介して室１内部に吹き出される。
【００２３】
なお、エア供給ダクト１６には必要に応じてエア弁２８が設けられており、エアの流量を調整できる。
【００２４】
還気系の空調設備６は吹出口ユニット１０、吸込口ユニット１１、ファンコイルユニット３０などから構成されている。吸込口ユニット１１は室１の天井７に取り付けられ、この吸込口ユニット１１にはエア吸気ダクト３４を介してファンコイルユニット３０が接続されている。また、ファンコイルユニット３０はエア供給ダクト３６を介して天井７に取り付けられた吹出口ユニット１０に接続されている。ファンコイルユニット３０は、内部にプレフィルタ４０、中性能フィルタ４２、温度調整コイル４４、送風機４６を備えている。プレフィルタ４０はエア吸気ダクト３４を介して空調室１から吸気されたエアを濾過して塵埃などを除去する。中性能フィルタ４２はプレフィルタ４０から送気されたエアを濾過して、さらに細かな塵埃などを除去する。温度調整コイル４４は、中性能フィルタ４２から送気されたエアを所定の温度に調整する。送風機４６は、温度調整コイル４４によって空調されたエアをエア供給ダクト３６に送気する。
【００２５】
このような構成によって、送風機４６を駆動すると吸込口ユニット１１から室１の内部のエアが吸い込まれ、プレフィルタ４０および中性能フィルタ４２によってエアが濾過され、エア中の浮遊菌や塵埃の除去が行われる。この後、温度調整コイル４４にて所定の温度に調整されたエアが、エア供給ダクト３６に送気されて、吹出口ユニット１０から室１に吹き出される。
【００２６】
さらに、室１には吸込口ユニット１３、ダクト４８、フィルタボックス１５、排気ファン３２からなる排気ラインが設けられている。排気ファン３２を駆動すると室１の内部のエアがフィルタボックス１５を介して濾過された後、外部に排気される。
【００２７】
図２は、室１の天井７に設置された吹出口ユニット１０を示す断面図である。この吹出口ユニット１０はケーシング５０を備えており、天井７に形成されたエア吹出部４３に設置されている。
【００２８】
ケーシング５０には前記エア供給ダクト１６が接続されている。エア供給ダクト１６は、ケーシング５０側面のやや上方に取り付けられており、エア供給ダクト１６からケーシング５０内部に空調エアが供給されると、ケーシング５０内部では供給された空調エアによって旋回流Ａが生成される。
【００２９】
ケーシング５０の下部にはコーン５２が配置され、室１に供給される空調エアがコーン５２によって拡散される。
【００３０】
ケーシング５０の内部には殺菌灯６０が設けられている。この殺菌灯６０は、不図示の取り付け部材を介して殺菌灯６０の高さや角度を調整できる。
【００３１】
コーン５２には反射板５６が取り付けられている。この反射板５６は、たとえば不図示のボルトなどでコーン５２の上面に取り付けられている。この反射板５６によって殺菌光の照射方向を調整し、側壁８や室１の内部の人に殺菌光が照射されないように調整することができる。これにより、図１の吹出口ユニット１０に示すように、室１の側壁８に近接して配置されている場合には、側壁８の内装材などが殺菌光の照射によって劣化してしまうことを防止できる。また、室１内部の人の目などに殺菌光が直接照射されることもない。
【００３２】
次に、天井７に設置された吸込口ユニット１１について図３を用いて説明する。この吸込口ユニット１１はケーシング７０を備えており、天井７に形成されたエア吸込部４５に設置されている。
【００３３】
ケーシング７０にはエア吸気ダクト３４が接続されている。また、ケーシング７０の下部にはスリット状の吸込口７２が設けられている。エア吸気ダクト３４からケーシング７０内部のエアが吸引されると、吸込口７２によって室１の内部のエアがケーシング７０内部に吸気される。
【００３４】
ケーシング７０の内部には殺菌灯８０が設けられている。また、吸込口７２には反射板７４が取り付けられている。この反射板７４は、支持材７１によってエア吸込部４５に着脱可能に支持されており、殺菌灯８０から照射された殺菌光が反射される。これにより、反射板７４の高さや位置を調整することで殺菌光の照射方向を調整し、室１の内部の人の目などに殺菌光が照射されることの無いように調整できる。なお、前記反射板５６を反射板７４の上面に取り付けて、殺菌光の照射方向を調整してもよい。
【００３５】
ここで、吸込口ユニット１１の内部には埃などの塵埃が堆積しやすいため、殺菌灯８０の廻りには殺菌光が減衰しにくい材質のケース７６が取り付けられている。これにより、殺菌灯８０の発熱による火災の防止と、殺菌灯８０の清掃を容易にすることができる。
【００３６】
前記の如く構成された吹出口ユニット１０の作用を以下に説明する。
【００３７】
図１に示す空調機１４の送風機２６やファンコイルユニット３０の送風機４６を駆動すると、吹出口ユニット１０から室１の内部に空調エアが供給される。
【００３８】
図２において、ケーシング５０内部では空調エアによる旋回流Ａが生成されているので、ケーシング５０の内部で殺菌光による空調エアの殺菌時間を長く維持でき、空調エアの浮遊菌の殺菌が効率よく行える。
【００３９】
また、殺菌灯６０からの殺菌光が、室１の上部に向けて照射されるので、室１内の天井７近傍のエア中の浮遊菌に対しても殺菌を行うことができる。
【００４０】
次に、吸込口ユニット１１の作用を以下に説明する。
【００４１】
図１に示すファンコイルユニット３０の送風機４６を駆動すると、吸込口ユニット１１から室１の内部のエアが吸気される。
【００４２】
図３において、殺菌灯８０からの殺菌光がケーシング７０内部に照射されるとともに、反射板７４と天井７との隙間から室１の上部に向けて殺菌光が照射される。これにより、室１内の天井７近傍のエア中の浮遊菌に対しても殺菌を行うことができる。また、殺菌光の照射方向を調整するための反射板７４が設けられているので、室１の内部の人の目に殺菌光が照射されないように調整できる。
【００４３】
なお、吹出口ユニット１０、吸込口ユニット１１、空調機１４やファンコイルユニット３０などの内壁に、酸化チタン（ＴｉＯ２）の光触媒による抗菌コーティングを施してもよい。
【００４４】
吸込口ユニット１３についても、上記吸込口ユニット１１と同一または類似の構成とすることにより、同様の作用、効果を奏する。
【００４５】
また、図２または図３に示したように、ケーシング５０，７０の天井や側壁の少なくとも一部にガラス窓８５を取り付けて、このガラス窓８５から天井裏へ殺菌光を照射すれば、天井裏の浮遊菌も殺菌できる。
【００４６】
したがって、上記室１として病院の病室、待合室、手術室などに適用し、各室に当該空調設備を装備した場合には、各室に供給される空調エア中の浮遊菌と、各室内から吸気されるエア中の浮遊菌とを殺菌できるので、各室内で浮遊菌数を低減できるとともに、各室内での浮遊菌の相互移動を抑制できる。このため、病院内での浮遊菌による院内感染を総合的に抑制することができる。
【００４７】
【発明の効果】
以上、説明したように本発明に係る空調機によれば、吹出口ユニットや吸込口ユニットの内部に殺菌光が照射されるので、室に供給される空調エア中の浮遊菌や、室から吸気されたエア中の浮遊菌を殺菌できる。また、病院内での浮遊菌による院内感染を抑制できる。
【図面の簡単な説明】
【図１】本発明に係る空調設備の吹出口ユニットを適用した例を示す構成図
【図２】本発明に係る空調設備の吹出口ユニットを示す構成図
【図３】本発明に係る空調設備の吸込口ユニットを示す構成図
【符号の説明】
１…室、５，６…空調設備、１０…吹出口ユニット、１１…吸込口ユニット、１４…空調機、１６，３６…エア供給ダクト、３４…エア吸気ダクト、５２…コーン、５６，７４…反射板、６０，８０…殺菌灯、７２…吸込口
【図１】
2004116924.tif 000003
【図２】
2004116924.tif 000004
【図３】
2004116924.tif 000005